(57)【要約】【課題】  画像処理をおこなうためのＤＳＰの消費電力を低減させる。【解決手段】  低解像度の読取処理を行う場合には、前記複数のデジタルシグナルプロセッサのうち前記読取処理用のデジタルシグナルプロセッサを選択する選択手段を備える。【選択図】        図５
2005236371.tif 000002
【特許請求の範囲】
【請求項１】
現像されたフィルム及び、フィルムに付いたゴミ又は傷の画像情報部を読み取る読み取り手段、前記読み取り手段からのフィルム及びゴミ読み取りデータを処理する複数のデジタルシグナルプロセッサと、低解像度の読取処理を行う場合には、前記複数のデジタルシグナルプロセッサのうち前記読取処理用のデジタルシグナルプロセッサを選択する選択手段を備えることを特徴とする画像入力装置。
【発明の詳細な説明】
【技術分野】
【０００１】
本発明は、フィルムを読み取る画像入力装置に関するものである。
【背景技術】
【０００２】
従来、画像データを処理するために、ＤＳＰが利用されている。フィルムの画像情報である可視情報部及び、フィルムに付いたゴミ又は傷の画像情報である赤外情報部を読み取る画像入力装置では、このＤＳＰにより可視情報の処理、赤外情報の処理を行っていた。
【特許文献１】特開平６−９８３４９号公報
【発明の開示】
【発明が解決しようとする課題】
【０００３】
しかしながら、上記従来例では、処理時間が短い可視情報および赤外情報が低解像度での処理においてはＤＳＰでの処理を行わない状態が多く、無駄な電力を用いていた。
【０００４】
本発明は上記問題点に着目してなされたものであって、処理時間が短い、入力情報が低解像度の場合において、複数のＤＳＰを用いていた入力情報の処理を行う際に、一部のＤＳＰのみを用いて処理を行うことにより他のＤＳＰの消費電力を抑えることのできる画像入力装置を提供することを目的とする。
【課題を解決するための手段】
【０００５】
本発明の画像入力装置では上記課題を解決するために、現像されたフィルム及び、フィルムに付いたゴミ又は傷の画像情報部を読み取る読み取り手段、前記読み取り手段からのフィルム及びゴミ読み取りデータを処理する複数のデジタルシグナルプロセッサと、低解像度の読取処理を行う場合には、前記複数のデジタルシグナルプロセッサのうち前記読取処理用のデジタルシグナルプロセッサを選択する選択手段を備えることを特徴とする。
【発明の効果】
【０００６】
以上説明したように、本発明によれば、処理時間が短い入力情報が低解像度の場合において処理を行う際に、複数のＤＳＰで行っていた処理を一部のＤＳＰで処理を行うことができ、処理を行っていない分のＤＳＰの消費電力を抑えることができる。
【発明を実施するための最良の形態】
【０００７】
以下に本発明を実施するための最良の形態を、実施例に基づいて説明する。
【実施例】
【０００８】
以下、図面を参照して本発明の実施例を説明する。
【０００９】
図１は、本発明に関わる画像入力装置の概要構成を示すブロック図である。図１は装置全体の制御を行うＣＰＵであり、このＣＰＵ１にはＩ／Ｏバス（アドレスバス、データバス及び制御バス）２を介してその他のものと接続されている。ＲＯＭ３は後述するフローチャートに関わるプログラムなど装置の制御に関するプログラムがプリセットされている。ＤＳＰ８、ＤＳＰ９はＣＣＤ１０により入力された可視情報や赤外情報などの読み取りデータを処理するものである。ＤＳＰ８、ＤＳＰ９は内部にデータの入出力用のＤＭＡを持ち、また処理用にＲＡＭを持っている。
【００１０】
ＤＳＰ内部のＤＭＡにより、ＣＣＤ１０により入力された情報を、ＤＳＰ内部のＲＡＭへ保存し、処理を施したデータをＤＳＰ内部のＤＭＡによりＲＡＭ４へ出力する。ＤＭＡ５は、ＲＡＭ４とＳＣＳＩバス間のデータ転送を行う。ＳＣＳＩ−Ｃ６は本装置と外部のパソコン等とのやり取りを行うＳＣＳＩインターフェースの制御を行う。コントローラ７は、ＤＳＰ８、ＤＳＰ９、ＣＣＤ１０、フィルム搬送メカニズム１１、フィルム挿入等を検知するセンサー類１２などのメカ、電気の制御を行う。
【００１１】
図２は高解像度時（高解像度を処理する場合）の可視情報と赤外情報の処理の流れを表した図である。可視情報はＤＳＰ８により処理を施しＲＡＭ４へ入力される。このとき、ＤＳＰ８で所望の時間内に可視情報の処理を収めるのが限度であるため、赤外情報はＤＳＰ９により処理を施しＲＡＭ４へ入力される。
【００１２】
図３は低解像度時（低解像度を処理する場合）の可視情報と赤外情報の処理の流れを表した図である。低解像度の場合では処理時間が短縮されるため、可視情報、赤外情報ともにＤＳＰ８により処理を施しＲＡＭ４へ格納する。
【００１３】
ＤＳＰ８はコントローラ７から通知されたサイズ毎にＣＣＤ１０からの可視情報及び赤外情報を交互に受け取り、処理を行う。次に、コントローラ７から通知された情報の種類とサイズによりＤＳＰ内部にある処理を施した情報をＲＡＭ４へ出力する。
【００１４】
図４は低解像度時である一つのＤＳＰで処理する場合の可視情報と赤外情報をＤＳＰ内部に格納するＲＡＭの一部を表す図である。４０から４７と４８から５５はそれぞれ同じメモリをあらわしている。すなわち４０と４８はＲＡＭ上の同じ位置である。４０から４７はＣＣＤ１０により情報が入力されたときの状態であり、４８から５５はそれからＤＳＰにより処理を施しその結果を入力した状態である。可視情報および赤外情報ともに出力サイズは入力サイズ以下の大きさである。
【００１５】
ＣＣＤ１０でよみとった、可視情報と赤外情報はそれぞれ１ラインずつ交互に入力され４０、４１、４２、４３・・・と順番に入力していく。４７の最大サイズに達した場合は４０へまた戻り入力していく。入力が終了したラインから処理を行う。
【００１６】
可視情報ならば、４０からデータを取り出し処理を施し、入力データと同じ位置４８に処理結果を上書きしていく。次に４２から取り出し、５０へと繰り返す。赤外情報ならば、４１からデータを取り出し処理を施し、可視情報の入力情報に上書きしないよう赤外情報の入力の位置４１に上書きする。その処理結果を上書きしたものが４９である。このように出力データを詰めずに、入力データの上に上書きすることでなるべく入力情報が処理後の出力情報を上書きしないようにする。
【００１７】
図５は高解像度と低解像度で画像を入力した時の動作フローチャートである。まず、６１により、高解像度か低解像度か判断する。通常の高解像度処理の場合は６２へ行き（進み）、ＣＣＤ１０で読み取った可視情報と赤外情報をそれぞれ別々なＤＳＰ８およびＤＳＰ９に送る。
【００１８】
次に入力が終了した情報から、６３へ行き、可視情報の処理はＤＳＰ８により、赤外情報の処理はＤＳＰ９により行う。その後、処理が終了した情報から出力される（６４）。それぞれのＤＳＰ８とＤＳＰ９の処理が終わった情報からＲＡＭ４へ出力していく。
【００１９】
これら６２、６３、６４の処理は同時に行われる（並行して行われる）。したがって、６５では全ての入力が終了したか確認し、まだ全ての入力が終了していなければ、６２へもどり入力を開始する。全ての入力が完了した場合、６６へ行き、全ての処理が終了したか確認し、まだ全ての処理が終了していなければ６３へ戻り、残りの処理を行う。
【００２０】
処理が終了していれば、６７へ行き、全ての出力が終了したか確認し、まだ全ての出力が終わっていなければ６４へ戻り残りの出力を行う。出力が終了していれば処理を終わる。
【００２１】
次に６１により低解像度と判断された場合、６８へ行く（進む）。６８ではＣＣＤ１０で読み取った情報をＤＳＰ８に入力するため、可視情報か赤外情報どちらを入力するか指定し、入力サイズも指定してＤＳＰ８に可視情報と赤外情報を交互に入力していく。これにより、ＤＳＰ８では可視情報と赤外情報それぞれ別々に保存し、処理することができる。
【００２２】
入力が完了した情報から６９へ行き、可視情報と赤外情報をそれぞれ別々にＤＳＰ８のみで処理を行う。処理が終了した情報から７０へ行き、指定された情報を指定サイズＲＡＭ４へ出力する。これら６８、６９、７０は通常の高解像度処理と同様にして同時に処理される。したがって、７１では全ての入力が終了したか確認し、まだ全ての入力が終了していなければ、６８へもどり、入力を開始する。全ての入力が完了した場合、７２へ行き、全ての処理が終了したか確認し、まだ全ての処理が終了していなければ６９へ戻り、残りの処理を行う。処理が終了していれば、７３へ行き、全ての出力が終了したか確認し、まだ全ての出力が終わっていなければ７０へ戻り残りの出力を行う。出力が終了していれば処理を終わる。
【００２３】
このようにして、低解像度時においてＤＳＰ８のみで可視情報と、赤外情報の両方の処理を行わせることにより、ＤＳＰ９を動作させることなく処理が可能である。したがって、ＤＳＰ９の消費電力を抑えることが可能となる。
【００２４】
なお、本実施例では、ＤＳＰを２つで行っていたが、３つ以上の複数のＤＳＰを用いても同様である。
【００２５】
また、可視情報と赤外情報の処理で使用するＤＳＰを使い分けていたが、可視情報では色の違いや、またゴミ除去処理など、ＣＣＤから入力される情報に対してＤＳＰを複数用いた処理を行うものならば、どのような処理を行っても同様である。
【図面の簡単な説明】
【００２６】
【図１】本発明の一実施例による画像入力装置の概要構成を示すブロック図
【図２】高解像度時の可視情報と赤外情報の処理の流れを表した図
【図３】低解像度時の可視情報と赤外情報の処理の流れを表した図
【図４】低解像度時である一つのＤＳＰで処理する場合の可視情報と赤外情報をＤＳＰ内部に格納するメモリの一部を表す図
【図５】高解像度と低解像度で画像を入力した時の動作フローチャート
【符号の説明】
【００２７】
１  ＣＰＵ
２  Ｉ／Ｏバス
３  ＲＯＭ
４  ＲＡＭ
５  ＤＭＡ
６  ＳＣＳＩコントローラ
７  コントローラ
８  ＤＳＰ
９  ＤＳＰ
１０  ＣＣＤ
１１  フィルム搬送メカニズム
１２  フィルム挿入等を検知するセンサー類
【図１】
2005236371.tif 000003
【図２】
2005236371.tif 000004
【図３】
2005236371.tif 000005
【図４】
2005236371.tif 000006
【図５】
2005236371.tif 000007